(57)【要約】【課題】  時針をジャンプ移動させ、それに合わせて時刻表示用の文字位置を変更することによって、見栄えの変った面白味のある時計を提供する。【解決手段】  時計における時針をジャンプ回動させ、その時刻に対応する時刻表示を、その時針のジャンプ回動位置に対応する文字盤位置に表示したことを特徴とする時間指針がジャンプする時計であり、上記時針Ｔはジャンプ機構３０により駆動され、毎時１５０°又は２１０°程ジャンプ回動する。また、上記ジャンプ機構は５歯車(又は７歯車)３１とカウンター歯車３２とカム盤３３とを有するとともに、時刻表示文字は従来の時計の文字盤の１２時の文字位置に、１〜１１の何れかの文字が表示されている。【選択図】      図  １
2006337091.tif 000002
【特許請求の範囲】
【請求項１】
時計における時針をジャンプ回動させ、その時刻に対応する時刻表示を、その時針のジャンプ回動位置に対応する文字盤位置に表示したことを特徴とする時間指針がジャンプする時計。
【請求項２】
請求項１に記載の時計において、上記時針はジャンプ機構により駆動され、毎時１５０°程ジャンプ回動することを特徴とする時間指針がジャンプする時計。
【請求項３】
請求項２に記載の時計において、上記ジャンプ機構は５歯車とカウンター歯車とカム盤とを有することを特徴とする時間指針がジャンプする時計。
【請求項４】
請求項１に記載の時計において、上記時針はジャンプ機構により駆動され、毎時２１０°程ジャンプ回動することを特徴とする時間指針がジャンプする時計。
【請求項５】
請求項４に記載の時計において、上記ジャンプ機構は７歯車とカウンター歯車とカム盤とを有することを特徴とする時間指針がジャンプする時計。
【請求項６】
請求項１〜５の何れかに記載の時計において、時刻表示文字は従来の時計の文字盤の１２時の文字位置に、１〜１１の何れかの文字が表示されていることを特徴とする時間指針がジャンプする時計。
【発明の詳細な説明】
【技術分野】
【０００１】
本発明は時間指針（一般的に短針で、以後時針と呼ぶ。）が特殊な運動をする時計に係り、時計のトッププレート上の表示盤における時刻表示が面白い配列とされた時計を提供するものである。
【背景技術】
【０００２】
従来の時計は、一般的に文字盤の頂部に１２時を示す表示がなされており、これから時計廻りに１時、２時、３時と順番に時刻表示がなされているか、又は、全く時刻を文字で表示しない等のものがある。しかしながら、このような時計の全てが基本的に、時針が１時間当り３０°程時計廻りに回動するものであって、時刻を文字で表示する場合は当該３０°毎に対応する時刻の文字（通常は数字）が配置される。また、このような時刻表示用の文字を持たない時計にあっても、ある時刻に対応した時針の位置は決定されており、上記の通り１時間当り３０°程連続的に時計廻りに回動することを基本としている。
【０００３】
図７は、従来普通の時計の時針及び分針を駆動する歯車機構の一部を示している。中間プレート１０に植設された軸Ｐ１には日ノ裏歯車（以下日ノ裏車と呼ぶ）４が軸支され、その中間プレート１０の下側に、図示しない他の駆動装置（機械式又は電動式を含む）によって回転する２番歯車２が、ボトムプレート９に軸受けされた軸Ｐ２に固定されている。また、該軸Ｐ２に嵌入圧接されたパイプ軸Ｐ３の下端には分歯車３が固定されており、上端には分針Ｍが固定されている。該分歯車（以下分車と呼ぶ）３と噛み合う上記日ノ裏車４は、その上方側の小歯車５と一体に形成されており、該小歯車５には時間歯車（以下時車と呼ぶ）６が噛み合っている。そして、これらの各減速歯車列によって、分車３及び時車６が回転駆動され、これによって分針Ｍは毎分６°、時針Ｔは毎時３０°の割合で回動させられるものである。
【特許文献１】特開２０００―０３１５５
【発明の開示】
【発明が解決しようとする課題】
【０００４】
上記の従来周知の時計にあっては、文字盤における文字の形状を変更したり、全く文字がない表示盤としたりする等の変化を持たせることはできるものの、時針の動きは全て同じであるから時計自体に面白味が乏しい。本発明はこのような点に鑑み、時針をジャンプ回動させ、それに合わせて時刻表示用の文字位置を変更することによって、見栄えの変った面白味のある時計を提供するものであり、そのための時針の特別な駆動機構を提供するものである。
なお、この明細書においてジャンプの用語は、通常の時計における時針が１時間に３０°の角速度で連続的に回動するのに対し、例えば１５０°程の角度を一度に回動する運動を言い、通常の時刻表示の数時間分を一挙に跳越えて移動する動作を表現するものである。
【課題を解決するための手段】
【０００５】
本発明は、時計における時針をジャンプ回動させ、その時刻に対応する時刻表示を、その時針のジャンプ回動位置に対応する文字盤位置に表示したことを特徴とする時間指針がジャンプする時計であり、上記時針はジャンプ機構により駆動され、毎時１５０°又は２１０°程ジャンプ回動する。
また、上記ジャンプ機構は５歯車(又は７歯車)とカウンター歯車とカム盤とを有するとともに、時刻表示文字は従来の時計の文字盤の１２時の文字位置に、１〜１１の何れかの文字が表示されていることを特徴とする時間指針がジャンプする時計である。
【発明の効果】
【０００６】
本発明は、上述の構成を有するために時針をジャンプ回動させることができ、時刻表示面を全く新しい形態とすることによってデザイン的にも極めて面白い時計を得ることができた。
また、従来通常の時計機構に対して本発明特有のジャンプ機構を付加するのみであるから、時計の機構全体も比較的簡単である。
そして、時刻表示文字位置を自在に変更できるので、種々の形式の文字盤を有する時計を簡単に作成することができる。
【発明を実施するための最良の形態】
【０００７】
本発明の実施の形態を図１〜図６により説明する。
図１は、本発明に係る時間指針(時針)がジャンプ回動する時計のムーブメントの主要部を示しており、時刻表示面を有するトッププレート、時針歯車、カム機構を有する５ケ歯車(以下５歯車と呼ぶ)等と、通常の時計が有する駆動機構と同様の駆動機構部とに展開して示したものである。そして、これらの図において従来周知の時計が有する必須の部材と同様の部材は、その図示及び説明を一部省略している。
【０００８】
図１において、中間プレート１０の下側にはボトムプレート９との間に、例えば従来例を示す図７や後に説明する図４に示すごとき歯車列又は駆動機構が収納されており、該図の中央部分には分車１３及び日ノ裏車１４が示されている。なお、日ノ裏車１４には説明を省略する他の歯車が係合しており、図示しない竜頭により必要に応じて回動されて時刻合わせをすることができるように、日ノ裏車１４は分車１３と一体の下側の歯車(図４参照)と噛み合っている。
【０００９】
本発明の特徴的構造の一つは、その詳細は後述するけれども、分車１３の回転を一度ジャンプ機構３０の５歯車３１に伝達し、該５歯車３１を介して時車１６に伝達することである。従って、本発明に係る時車１６は従来時計と同様に時針Ｔを駆動するけれども、その駆動機構の構造及び時針Ｔの運動形態は全く相違している。
ここで時車１６部分について先に説明すると、この実施例に係る時車１６の歯数は１２枚であり、短筒部１７と一体的に形成されていて、後に説明する分車１３と一体的に回転する筒軸１５（図４における筒軸Ｐ３と同じ）の上端部に回動自在に軸支されている。
【００１０】
その他、図１における主要構造部材の概略を説明すると、符号１８は上記ジャンプ機構３０と協働するカム駆動レバーであり、符号１９は該カム駆動レバー１８を付勢するバネであり、カム駆動レバー１８は軸Ｐ８を支点としてバネ１９の反力によって揺動可能に、且つ、常時付勢されている。
中間プレートにその後部を固定されたブレーキバネ２０の先端屈曲部が、上記時車１６と係合しており、後述する５歯車３１によりそのジャンプ回動が終了した後の時車１６を、規定回動位置に静止させる。時針Ｔは時車１６と一体の短筒部１７に嵌挿され、該時車１６と共にジャンプ回動し、その時刻に対応する時刻文字位置で静止させられる。なお、時車１６は短筒部１７と共に筒軸１５（図４の筒軸Ｐ３と同じ）により回動自在に支持されている。トッププレート８は、後述する本発明特有の時間表示がなされた文字盤を構成している。また、図１においては筒軸１５（筒軸Ｐ３と同じ）に装着される分針が図示されていない。
【００１１】
図２は、本発明の特徴的構造であるジャンプ機構３０の構成を示しており、裏面図(Ａ)及び同図のＡ−Ａ断面図(Ｂ)である。同図(Ｂ)より明らかなように、中間プレート１０に植設された軸Ｐ５には筒軸Ｐ６によってジャンプ機構３０が回動自在に支持されている。なお、図２(Ａ)は同じく図２(Ｂ)の状態にあるジャンプ機構を裏返した状態、すなわち、同図(Ｂ)のＢ−Ｂから見た構成を示していることに注意する必要がある。
【００１２】
ジャンプ機構３０は、前記図１においても説明した歯を５枚だけ有する５歯車３１、前述の分車１３と噛み合うカウンター歯車３２及びカム盤３３から構成されており、中間に位置するカウンター歯車３２を挟んで上下の５歯車３１及びカム盤３３が、筒軸Ｐ６及び固定ピンＰ７によって一体的に結合されている。そして、カウンター歯車３２はこれと噛み合う前記分車１３と全く同じ歯数の歯車である。
【００１３】
中間に位置するカウンター歯車３２は前記筒軸Ｐ６に対して回動自在とされると共に、弧状のガイド穴３２Ｈを設けて上記固定ピンＰ７と、そのガイド穴３２Hの前後端部で係合可能とされている。従って、固定ピンＰ７で一体化された５歯車３１及びカム盤３３とカウンター歯車３２とは、ガイド穴３２Ｈの範囲内で互いに回動自在とされている。
【００１４】
図３は、図２に示すジャンプ機構３０の各構成要素を下方から見た状態で展開して示している。すなわち、最下部に位置するカム盤３３は、その回動中心にて固定される筒軸Ｐ６と固定ピンＰ７とに結合されている。最上部に位置する５枚の歯３１Aを有する５歯車３１も同様に、中心部が筒軸Ｐ６に固定され前述の固定ピンＰ７と共に、前記カム盤３３と一体的に固定されるものである。このため、該５歯車３１とカム盤３３とは常に一体の動きをすることとなる。
【００１５】
ジャンプ機構３０の中間部に位置するカウンター歯車３２は、その中心部において上記筒軸Ｐ６に対して回動自在であって、上記固定ピンＰ７を規定範囲内で移動自在とするための弧状ガイド穴３２Ｈが設けられている。そして、これらを順に積層して図２(Ｂ)に示すごときジャンプ機構３０が形成されるけれども、実際には、同図の上記３枚の部材が上下方向で極めて近接して組み立てられるものである。
【００１６】
図４は、従来例の説明図である図７に倣って、本発明の時計の主要構成部分の断面を示している。
すなわち、ボトムプレート９と中間プレート１０によって回動自在に支持された軸Ｐ２には、図示しない駆動機構によって回動される２番車２が固定されるとともに、中間プレート１０の上方において分車１３がその筒軸１５と共に嵌入される。なお、ボトムプレート９と中間プレート１０との間にある他の機構は、図示していない。
【００１７】
一方、中間プレート１０に植設された軸Ｐ１には日ノ裏車１４が軸支されており、前記分車１３の裏面に一体的に形成された小歯車(符号なし)と噛み合っている。従って、通常の時計と同様に竜頭Ｒ（図６参照）を用いて日ノ裏車１４を回動することによって分車１３を回転させ、時刻合わせをすることができる。
【００１８】
前述の、本発明に特徴的な構造であるジャンプ機構３０のカウンター歯車３２は、これと同一歯数構成の上記分車１３と噛み合っているので、分車１３の回転と反対方向に同じ速度で回転する。また、該図４においては、５歯車３１の５枚の歯を有する部分３１Aが図の左側に示されているが、該５歯車３１が図示の位置から約１８０°回動して反対側に歯の位置が来ると、時車１６と噛み合う寸法関係である。そして、分針Ｍは前記分車１３が固定される筒軸１５（図７の筒軸Ｐ３と対応する）に、時針Ｔは時車１６の短筒部１７にそれぞれ固定されている。
【００１９】
図５は、本発明のジャンプ機構３０の特にカム盤３３と、これに協働するカム駆動レバー１８との関係を示している。
ここで特に重要な構成は、カム盤３３とそのそれぞれのカム面に当接してこれを駆動させる、カム駆動レバー１８（図１に示すカム駆動レバー１８の揺動先端部のみを破線で示している）の当接面１８Ａとの関係である。図５(Ａ)から明らかなように、カウンター歯車３２は常時一定速度で、すなわち、図１及び図４に示す分車１３と噛み合って回動し、現在はその５枚の歯３１Aが図５（Ａ）に示す位置にある。このとき、５歯車３１及びカム盤３３が同様に図示の位置にあり、５歯車３１の５枚の歯３１Aは、時車１６に対して非接触の状態である。
【００２０】
このような状態から、カウンター歯車３２は矢印ｆ方向に上記分車１３と同速度で回動し、５歯車３１とカム盤３３とを結合する固定ピンＰ７は、カウンター歯車３２のガイド穴３２Ｈにおける回転後方側端部３２ＨＡに当接している。従って、カウンター歯車３２の回動に伴って該回転後方側端部３２ＨＡが固定ピンＰ７を押し、その結果、カム駆動レバー１８の当接面１８Aはカム盤３３の略円形カム面３３Ａに当接しており、バネ１９により一定の圧力で押圧しながら該略円形カム面３３Ａを滑動させられている。
【００２１】
図５(Ｂ)は、上記図５(Ａ)の状態から略２０分経過後の状態を示している
すなわち、カウンター歯車３２は分車１３と等速で回動するので、これと伴廻り状態にある５歯車３１及びカム盤３３は、図５(Ａ)に示す相対位置関係のままで略２０分後に相当する位置まで回動する。そして、カム駆動レバー１８の当接面１８Ａ位置に対して図５(Ａ)の位置関係のジャンプ機構３０全体が矢印ｆの方向に回動し、カム盤３３の落込みカム面３３Ｂがカム駆動レバー１８の当接面１８Ａの位置を通過すると、カム駆動レバー１８のバネ１９による回動力（矢印M)によってカム盤３３が強制的に回動される状態、つまり、該当接面１８Ａがカム盤３３の後押しカム面３３Ｃに当接状態となる。
【００２２】
その結果、バネ１９によって付勢されているカム駆動レバー１８の当接面１８Ａは、カム盤３３の後押しカム面３３Ｃを押圧するので、カム盤３３を矢印Ｆ方向に回動させる力が作用する。そしてこの時、５歯車３１及びカム盤３３は上述の通り筒軸Ｐ６及び固定ピンP7で一体化され、しかも、固定ピンP7をカウンター歯車３２のガイド穴３２Ｈの回転後方側端部３２ＨＡで押していたけれども、本来５歯車３１及びカム盤３３はカウンター歯車３２に対して自由に回動可能であるから、当該矢印Ｆ方向に発生した回動力によって、上記一体の５歯車３１及びカム盤３３が、カウンター歯車３２よりも先行して一気に回動させられることとなる。
【００２３】
すなわち、図５(Ｂ)はそのような過渡期の状態を示しており、その先行回動量はガイド穴３２Ｈの長さによって決定される。そして、上記先行回動時に図示のごとく５歯車３１の５枚の歯３１Ａが時車１６と噛み合い、その歯数５枚分を一気に回動させることとなる。このようにして、時車１６及び該時車１６に短筒部１７を介して係合する時針Ｔは、上記説明におけるカム駆動レバー１８の当接面１８Ａがカム盤３３の落込みカム面３３Ｂを通過した時点から、該カム盤３３が一気に回動させられて、５歯車３１も同時に回動させられて、その時だけ５歯車３１の５枚の歯３１Ａが時車１６と噛み合って回動するので、その歯数５枚分だけジャンプ回動するものである。
【００２４】
その後、時車１６の回動が前述のブレーキバネ２０によって静止した状態にある間、カウンター歯車３２が該歯車のみ等速で回動し、前記先行した固定ピンＰ７位置にガイド穴３２Ｈの後方側端部３２ＨＡが追い付くまでは、５歯車３１及びカム盤３３は静止している。その間は、カム駆動レバー１８の当接面１８Ａがカム盤３３の休みカム面３３Dの位置に当接した状態が保たれる。そして、更にカウンター歯車３２が回動することによって、先行していた固定ピンＰ７にガイド穴３２Ｈの後方側端部３２ＨＡが追い付き、該固定ピンＰ７を押すことで５歯車３１及びカム盤３３が再び回動を始め、これによってカム駆動レバー１８の当接面１８Ａがカムの略円形カム面３３Aに復帰するように、カム駆動レバー１８がバネ１９の力に抗して押し開かれて、次の時刻までカウンター歯車３２と５歯車３１及びカム盤３３は伴廻りすることとなる。
【００２５】
図６は、上述のごとき実施例に示すジャンプ機構３０と、これによって時車１６が１時間に１回、５歯分ずつジャンプ回動する場合の、時刻表示がなされたトッププレート８を示している。
すなわち、通常の時計のトッププレートには、竜頭Rの位置における文字盤に３時が表示され、その９０°前後位置が１２時及び６時と表示されているが、上記本発明の実施例にあっては、例えば前記通常の時計における１時の位置を同じく１時と表示するとすれば、２時は通常時計の６時の位置に表示されることとなる。
【００２６】
その理由は前述の通り、カウンター歯車３２の回動に従って時車１６がジャンプ回動したとき、丁度２時に当たる時刻に時車１６の１２枚の歯のうちの５枚分が回動されるため、時針Ｔは通常の時計の６時の位置までジャンプ回動することとなるからである。このように、１時間毎に５歯車３１の５枚の歯に対応する１５０°ずつ時針Tが回動し、これに該当する位置に記載された時刻表示によって、その時々の時刻を表示することができる。
【図面の簡単な説明】
【００２７】
【図１】本発明に係る時間指針ジャンプ時計の要部の展開斜視図である。
【図２】ジャンプ機構の裏面図及び断面図である。
【図３】ジャンプ機構の構成要素の展開図である。
【図４】本発明の時間指針ジャンプ時計の要部断面図である。
【図５】ジャンプ機構の作動説明図である。
【図６】本発明のジャンプ時計のトッププレートにおける時刻表示の平面図である。
【図７】従来時計における要部の断面図である。
【符号の説明】
【００２８】
２    ２番車（２番歯車）
３，１３    分車（分歯車）
４，１４    日ノ裏車（日ノ裏歯車）
５    小歯車
６，１６    時車（時間歯車）
８    トッププレート
９    ボトムプレート
１０    中間プレート
１５    筒軸
１７    短軸部
１８    カム駆動レバー
１８A    当接面
１９    バネ
２０    ブレーキバネ
３０    ジャンプ機構
３１    ５歯車（５枚歯車）
３２    カウンター歯車
３２H    ガイド穴
３３    カム盤
３３A    略円形カム面
３３B    落込みカム面
３３C    後押しカム面
３３D    休みカム面
Ｐ１，Ｐ２，Ｐ５    軸
Ｐ３，Ｐ６    筒軸
Ｐ７    固定ピン
R     竜頭
【図１】
2006337091.tif 000003
【図２】
2006337091.tif 000004
【図３】
2006337091.tif 000005
【図４】
2006337091.tif 000006
【図５】
2006337091.tif 000007
【図６】
2006337091.tif 000008
【図７】
2006337091.tif 000009